(57)【特許請求の範囲】
【請求項１】
左右両側に立設された本体フレームと、
前記本体フレームの後部に搖動自在に軸支された背もたれフレームと、
前記背もたれフレームの下端部に設けた前後方向の貫通孔に搖動可能に連結され、該背もたれフレームから前方に突出する座部フレームと、
前記背もたれフレームから前記座部フレームにかけて張設され、背もたれおよび座部を構成するシート部材と、
前記本体フレームの前部に設けられ、前記座部の裏面をスライド可能に支える座部支持フレームと、を備えたことを特徴とする椅子。
【請求項２】
前記座部は、剛性板部材と、該剛性板部材の上面に重ね合わされた弾性シート部材とからなる座板が前記シート部材の内部に収容されて構成されていることを特徴とする請求項１記載の椅子。
【請求項３】
前記シート部材は、帯状のシート本体の上端左右に上部筒部が形成され、該シート本体の下端左右に下部筒部が形成され、前記上部筒部を前記背もたれフレームに挿入し、前記下部筒部を前記座部フレームに挿入することにより張設したことを特徴とする請求項１又は２のいずれかに記載の椅子。
【請求項４】
前記本体フレームの上部に前後方向に向け、ひじ掛け兼用の上部フレームが設けられていることを特徴とする請求項１ないし３のいずれかに記載の椅子。
【発明の詳細な説明】
【技術分野】
【０００１】
本発明は、椅子に関し、特に、座部が前後移動し、着座および立ち上りが楽に行える椅子に関する。
【背景技術】
【０００２】
従来の椅子は、脚部上に取り付けられた座部と、座部の後部に設けられた背もたれを有しており、座部および背もたれは、高さ方向には移動するが、前後方向は固定的な構造のものが多い。また、座部および背もたれの両者が後傾動する構成の椅子（例えば特許文献１を参照）、あるいは座部が前後にスライドする構造の椅子（例えば特許文献２を参照）もある。
【先行技術文献】
【特許文献】
【０００３】
【特許文献１】特開２００６−２１８０４７
【特許文献２】特開平１０−５７１７４
【発明の概要】
【発明が解決しようとする課題】
【０００４】
従来の座部および背もたれの両者が後傾動する特許文献１に記載の椅子は、背筋を伸ばしやすい構造ではあるが、リクライニングには不向きである。また、座部が前後にスライドする特許文献２に記載の椅子は、背もたれと連動していないため、やはりリクライニングには不向きであるとともに、両者ともに座部、背もたれおよびスライド構造が極めて複雑であるという問題があった。
【０００５】
本発明は、このような課題を解決するためになされたもので、リクライニング状態および立ち上り状態に簡単に変化するとともに、座部、背もたれおよびスライド構造が簡単で安価に製作できる椅子を提供することを目的とする。
【課題を解決するための手段】
【０００６】
上記課題を解決するため、請求項１に記載の椅子は、左右両側に立設された本体フレームと、
前記本体フレームの後部に搖動自在に軸支された背もたれフレームと、
前記背もたれフレームの下端部に設けた前後方向の貫通孔に搖動可能に連結され、該背もたれフレームから前方に突出する座部フレームと、
前記背もたれフレームから前記座部フレームにかけて張設され、背もたれおよび座部を構成するシート部材と、
前記本体フレームの前部に設けられ、前記座部の裏面をスライド可能に支える座部支持フレームと、を備えたことを特徴とするものである。
【０００７】
請求項２記載の椅子は、請求項１に記載の椅子において、前記座部は、剛性部板材と、該剛性板部材の上面に重ね合わされた弾性シート部材とからなる座板が前記シート部材の内部に収容されて構成されている。
【０００８】
請求項３記載の椅子は、請求項１又は２のいずれかにおいて、前記シート部材は、帯状のシート本体の上端左右に上部筒部が形成され、該シート本体の下端左右に下部筒部が形成され、前記上部筒部を前記背もたれフレームに挿入し、前記下部筒部を前記座部フレームに挿入することにより張設したものである。
【０００９】
請求項４記載の椅子は、請求項１ないし３いずれかにおいて、前記本体フレームの上部に前後方向に向け、ひじ掛け兼用の上部フレームが設けられている。
【発明の効果】
【００１０】
本発明によれば、座部および背もたれがリクライニング状態および立ち上り状態に簡単に変化するとともに、座部および背もたれの構成、および座部スライドおよび背もたれ傾動構造が簡単であり、安価に製作することができる。
【図面の簡単な説明】
【００１１】
【図１】本発明の椅子の正面斜視図である。
【図２】分解正面斜視図である。
【図３】図１の側面図である。
【図４】図１のＡ−Ａ線断面図である。
【図５】使用状態の側面図である
【発明を実施するための形態】
【００１２】
以下、図面を参照して本発明に係る椅子の実施形態を説明する。
図１は、本発明の椅子の正面斜視図、図２は、分解正面斜視図である。なお、実施形態では、全体が木製で構成された椅子の例について説明する。
【００１３】
図１、図２に示すように、左右に本体フレーム１、１が立設されている。左右の本体フレーム１、１は、各々前後の縦フレーム１a、１ｂを有し、この縦フレーム１a、１ｂの下部は脚部２となっている。この脚部２の下端は台座フレーム３で連結され、台座フレーム３には補強フレーム４が連結されている。前後の縦フレーム１a、１ｂの上端には、ひじ掛けを兼ねる上部フレーム５、５が前後方向に向けて連結されている。上部フレーム５、５の後部には後部フレーム６が連結されている。前部の縦フレーム１a、１aの中間には座部支持フレーム７が連結されている。
【００１４】
左右の上部フレーム５、５の後部には、支軸８を介して板状の背もたれフレーム１０が揺動自在に支持されている。この背もたれフレーム１０の下端に、丸棒で形成された座部フレーム１１が揺動自在に取り付けられている。すなわち、背もたれフレーム１０の下端の孔１２に座部フレーム１１の後部が緩く嵌合され、この孔１２を支点に座部フレーム１１は揺動できるようになっている。座部フレーム１１が抜けないように、背もたれフレーム１０の前後に係止するピン１３が座部フレーム１１に固定されている。
【００１５】
１４は、背もたれＳおよび座部Ｚを構成するシート部材であって、帯状のシート本体１４aの上端左右に上部筒部１４ｂが形成され、下端左右に下部筒部１４ｃが形成されている。上部筒部１４を背もたれフレーム１０に上から挿入し、下部筒部１４ｃを座部フレーム１１に前から挿入することにより、シート本体１４を張設している。これにより、背もたれフレーム１０の間に背もたれＳが、座部フレーム１１の間に座部Ｚが形成される。
【００１６】
図４に示すように、シート部材１４の座部Ｚを構成する部分には、ベニヤ板等の剛性板部材１７aの上面にウレタンゴムなどの弾性シート部材１７ｂが重ね合わされた座板１７が、シート部材１４の内部に封入されている。座部フレーム１１および座部Ｚは座部支持フレーム７上に載った状態で前後にスライドするようになっている。
【００１７】
図５は、椅子に人１８が座った状態を示している。図５（ａ）に示すように、背もたれ部Ｓに上半身を載せ、背もたれフレーム１０が支軸８を中心に時計方向に揺動し、これにより、座部Ｚは前方にスライドし、上部フレーム５にひじを載せると、リクライニング椅子として使用することができる。そして、椅子から立ち上がるときは、膝裏で座部Ｚを後方に押すと、図５（ｂ）に示すように、座部Ｚは後方にスライドし、座部が邪魔になることがなく、また、背もたれ部Ｓは反時計方向に揺動して背中を押すのでそのまま楽に立ち上がることができる。
【００１８】
以上のように、本発明の椅子は、座部Ｚの前後移動と背もたれＳの傾動が連動するので、リクライニングでは座部Ｚが足を支えて楽な姿勢に保ち、立ち上り時には邪魔にならないように座部Ｚを後方に引き込ませることができ、楽に立ち上がることができる。このように、着座、リクライニング姿勢、立ち上りが快適に行えるので、リラックス用、食卓用、その他多用途に利用することができる。また、座部Ｚおよび背もたれＳが背もたれフレーム１０および座部フレーム１１に張設したシート部材１４で構成されるので、座部Ｚおよび背もたれＳの構成が簡単で部品点数も少なくてすむ。
【００１９】
なお、実施形態の椅子は、フレーム全体が木製の例であるが、金属フレームあるいは金属パイプで構成することも可能である。シート部材１４は、キャンパス布が好適であるが、強度の大きい布製品又は革製品など、強度があれば材質は限定されない。
【符号の説明】
【００２０】
１    本体フレーム
７    座部支持フレーム
１０    背もたれフレーム
１１    座部フレーム
１４    シート部材
１４a    シート本体
１４ｂ    上部筒部
１４ｃ    下部筒部
１７    座板
１７a      剛性板部材
１７ｂ    弾性シート部材
Ｓ    背もたれ部
Ｚ    座部
【図１】
0005606767.tif 000002
【図２】
0005606767.tif 000003
【図３】
0005606767.tif 000004
【図４】
0005606767.tif 000005
【図５】
0005606767.tif 000006